(57)【要約】【課題】  ある画像形成装置で印刷した部分が、別の画像形成装置で、印刷する透明トナーの印刷領域に対して広い場合、透明トナーが印刷されない部分が生じてしまう。【解決手段】  画像データを入力する手段と、画像形成装置の機器情報を保持する手段と、第二の画像形成装置を選択する手段と、第二の画像形成装置の機器情報を取得する手段と、画像形成装置による画像形成処理を設定するジョブ設定手段と、画像形成装置による画像形成処理を制御するジョブ制御手段と、画像形成処理の設定や実行結果を第二の画像形成装置に送信するジョブ情報送信手段を有し、第二の画像処理装置の機器情報により、画像形成装置におけるジョブ制御を行うことを特徴とする。【選択図】  図５
2010008683.tif 000002
【特許請求の範囲】
【請求項１】
画像データを入力する手段と、画像形成装置の機器情報を保持する手段と、第二の画像形成装置を選択する手段と、第二の画像形成装置の機器情報を取得する手段と、画像形成装置による画像形成処理を設定するジョブ設定手段と、画像形成装置による画像形成処理を制御するジョブ制御手段と、画像形成処理の設定や実行の結果を第二の画像形成装置に送信するジョブ情報送信手段を有し、第二の画像処理装置の機器情報により、画像形成装置におけるジョブ制御を行うことを特徴とする画像形成装置。
【請求項２】
前記第二の画像形成装置は、所定の色材を用いて画像データが印字された用紙に重畳して印字する画像形成手段を有することを特徴とする、請求項１に記載の画像形成装置。
【請求項３】
前記第二の画像形成装置の機器情報は、用紙に対する画像形成可能な範囲を示す情報であることを特徴とする、請求項１に記載の画像形成装置。
【請求項４】
前記ジョブ制御は、第二の画像形成装置の機器情報により、画像データを縮小して用紙に印字することであることを特徴とする、請求項１に記載の画像形成装置。
【請求項５】
前記ジョブ制御は、第二の画像形成装置の情報により、画像データの一部を取り出して用紙に印字することであることを特徴とする、請求項１に記載の画像形成装置。
【請求項６】
前記ジョブ設定手段は、第二の画像形成装置によって印字された用紙に対する重畳する印字を妨げる設定をさせないようにすることであることを特徴とする、請求項１に記載の画像形成装置。
【請求項７】
画像形成装置の機器情報を保持する手段と、第一の画像形成装置に機器情報を送信する手段と、第一の画像形成装置の画像形成処理のジョブ情報を取得するジョブ情報取得手段と、画像形成装置による画像形成処理を設定するジョブ設定手段と、画像形成装置による画像形成処理を制御するジョブ制御手段を有し、第一の画像処理装置のジョブ情報により、画像形成装置におけるジョブ制御を行うことを特徴とする画像形成装置。
【請求項８】
前記画像形成装置は、所定の色材を用いて画像データが印字された用紙に重畳して印字する画像形成手段を有することを特徴とする、請求項７に記載の画像形成装置。
【請求項９】
前記第一の画像形成装置のジョブ情報は、用紙に対する画像形成を行った範囲を示す情報であることを特徴とする、請求項７に記載の画像形成装置。
【請求項１０】
前記ジョブ制御は、第一の画像形成装置のジョブ情報により、重畳して印字する範囲を第一の画像形成装置で画像形成された範囲に限定することであることを特徴とする、請求項７に記載の画像形成装置。
【請求項１１】
前記ジョブ制御は、第一の画像形成装置のジョブ情報に関わらず、重畳して印字する範囲を画像形成装置で画像形成可能な範囲に全体とすることであることを特徴とする、請求項７に記載の画像形成装置。
【請求項１２】
第一の画像形成装置を選択する手段と、第二の画像形成装置を選択する手段と、第一の画像形成装置の機器情報を取得する手段と、第二の画像形成装置の機器情報を取得する手段と、第一の画像形成装置による画像形成処理を設定するジョブ設定手段と、第二の画像形成装置による画像形成処理を設定するジョブ設定手段と、第一の画像形成装置に入力する画像データと画像形成処理の設定を生成するジョブデータ生成手段と、第二の画像形成装置に入力する画像データと画像形成処理の設定を生成するジョブデータ生成手段と、第一の画像形成装置にジョブデータを送信するデータ送信手段と、第二の画像形成装置にジョブデータを送信するデータ送信手段を有し、第一および第二の画像形成装置の機器情報により、画像形成装置に入力するジョブ設定を変更することを特徴とする情報処理装置。
【請求項１３】
前記第一の画像形成装置の機器情報は、用紙に対する画像形成可能な範囲を示す情報であることを特徴とする、請求項１２に記載の情報処理装置。
【請求項１４】
前記第二の画像形成装置の機器情報は、印字された用紙に対して重畳して印字可能な範囲を示す情報であることを特徴とする、請求項１２に記載の情報処理装置。
【請求項１５】
前記ジョブ設定手段は、第二の画像形成装置の機器情報により、第一の画像形成装置での印字する画像データを、縮小して用紙に印字すると設定することであることを特徴とする、請求項１２に記載の情報処理装置。
【請求項１６】
前記ジョブ設定手段は、第二の画像形成装置の情報により、第一の画像形成装置での印字を、画像データの一部を取り出して用紙に印字すると設定することであることを特徴とする、請求項１２に記載の情報処理装置。
【請求項１７】
前記ジョブ設定手段は、第一の画像形成装置の機器情報により、重畳して印字する範囲を第一の画像形成装置で画像形成される範囲に限定すると設定することであることを特徴とする、請求項１２に記載の情報処理装置。
【請求項１８】
前記ジョブ設定手段は、第一の画像形成装置の機器情報に関わらず、重畳して印字する範囲を第二の画像形成装置で画像形成可能な範囲に全体とすると設定することであることを特徴とする、請求項１２に記載の情報処理装置。
【請求項１９】
前記ジョブ設定手段は、第一の画像形成装置に対して、第二の画像形成装置による印字された用紙に対する重畳した印字を妨げる設定はさせないようにすることであることを特徴とする、請求項１２に記載の情報処理装置。
【発明の詳細な説明】
【技術分野】
【０００１】
本発明は、画像形成装置により画像が形成済みの用紙上に、再度画像を形成する画像形成装置に関するものである。
【背景技術】
【０００２】
近年、Ｃ、Ｍ、Ｙ、Ｋの４色のトナーを用いた電子写真印刷によるフルカラー印刷だけではなく、特殊なトナーを用いた多色の印刷方式も注目を集めている。例えば、通常の電子写真印刷した紙面上にさらに透明なトナーによる像を形成し、紙面上の全面もしくは部分的にコーディングを施すことを可能とするものである。（特許文献１参照）
【特許文献１】特開平１０−５５０８５号公報
【発明の開示】
【発明が解決しようとする課題】
【０００３】
透明トナーにより印刷面に光沢性を与える印刷方法としては、通常のカラー印刷に加えて透明トナーによる印刷が可能な１台の画像形成装置を用いて、５色のトナーで印刷を行う方法がある。その他に、通常の画像形成装置を用いて印刷された印刷物に対し、透明トナーによる印刷が可能な画像形成装置により透明トナーのみを印刷することで光沢性を与えるものがある。
【０００４】
また、透明トナーを印刷する領域としては、印刷面の全面に透明トナーを印刷し、全体的に光沢性を与えるもの、印刷面の一部にのみ透明トナーを印刷するもの、特定のパターンを透明トナーで印刷するものなどがある。
【０００５】
透明トナーによる印刷のなかで、印刷物の全面に透明トナーを印刷する際には、用紙面で既に印刷済みの部分に対し、透明トナーを印刷することが必要である。しかし、一般に異なる画像形成装置では、印刷用紙に対して印刷可能な最大領域は異なる。このため、印刷済みの部分が透明トナーの印刷可能領域に対して広い場合、透明トナーが印刷されない部分が生じ、光沢性に差が出るという問題がある。
【課題を解決するための手段】
【０００６】
前述した課題を解決するために、本発明の画像形成装置は、
画像データを入力する手段と、画像形成装置の機器情報を保持する手段と、第二の画像形成装置を選択する手段と、第二の画像形成装置の機器情報を取得する手段と、画像形成装置による画像形成処理を設定するジョブ設定手段と、画像形成装置による画像形成処理を制御するジョブ制御手段と、画像形成処理の設定や実行結果を第二の画像形成装置に送信するジョブ情報送信手段を有し、第二の画像処理装置の機器情報により、画像形成装置におけるジョブ制御を行うことを特徴とする。
【発明の効果】
【０００７】
本提案の画像形成装置によれば、２台の画像形成装置を組み合わせることで、光沢性を持った印刷物を作成する場合でも、通常の印刷領域と透明トナーの印刷される領域を一致させることが可能となる。
【発明を実施するための最良の形態】
【０００８】
次に、本発明の詳細を実施例の記述に従って説明する。
【実施例１】
【０００９】
以下に本発明による実施例を説明する。
【００１０】
本発明の実施形態にかかわる画像形成装置の全体構成を、図１を参照しながら説明する。
【００１１】
図１は、本発明の一実施形態に係る画像形成装置の構成を示すブロック図である。
【００１２】
図１において、２００はリーダ部（画像入力装置）で、原稿画像を光学的に読み取り、画像データに変換する。リーダ部２００は、原稿を読取るための機能を持つスキャナユニット２１０と、原稿用紙を搬送するための機能を持つ原稿給紙ユニット２５０とで構成される。
【００１３】
３００はプリンタ部（画像出力装置）で、記録紙を搬送し、その上に画像データを可視画像として印字して装置外に排紙する。プリンタ部３００は、複数種類の記録紙カセットを持つ給紙ユニット３２０と、画像データを記録紙に転写、定着させる機能を持つマーキングユニット３１０を有する。また、印字された記録紙をソート、ステープルして機外へ出力する機能を持つ排紙ユニット３７０を有する。
【００１４】
１１０は制御装置で、リーダ部２００、プリンタ部３００と電気的に接続されている。
【００１５】
制御装置１１０は、リーダ部２００を制御して、原稿の画像データを読込む機能や、プリンタ部３００を制御して画像データを記録用紙に出力する機能を提供する。また、制御装置１１０は、ＣＤ−ＲＯＭドライブ１６０からＣＤ−ＲＯＭに格納されるデータを読み取ることができる。
【００１６】
１５０は操作部で、制御装置１１０に接続され、液晶タッチパネルで構成され、デバイスを操作するためのユーザＩ／Ｆを提供する。
【００１７】
図２に、図１の構成を含む全体の装置概観図を示す。図２において、２００はリーダ部であり、原稿を読み取り、デジタル信号処理を行う部分である。また、３００は、プリンタ部であり、リーダ２０１によって読み取られた原稿画像に対応した画像を用紙にフルカラーでプリント出力する部分である。
【００１８】
リーダ部２００において、２０１は鏡面圧板であり、原稿台ガラス（以下プラテンガラス）２０３上の原稿２０４は、ランプ２０５で照射される。そして、原稿に照射された光は、反射し、ミラー２０６、２０７、２０８に導かれ、レンズ２０９によって、３ラインの個体撮像素子センサ（以下ＣＣＤ）２１０上に像を結ぶ。その結果、フルカラー情報としてのレッド（Ｒ），グリーン（Ｇ），ブルー（Ｂ）の３つの画像信号がリーダ画像処理部２１１に送られる。なお、２０５、２０６は速度ｖで、２０７、２０８は速度１/２ｖでラインセンサの電気的走査（主走査）方向に対して垂直方向に機械的に動くことによって、原稿全面を走査（副走査）する。ここで、原稿２０４は、主走査および副走査ともに６００ｄｐｉ（ｄｏｔｓ／ｉｎｃｈ）の解像度で読みとられる。読み取られた画像信号は原稿１ページ分の単位で２１１の内部のデータ蓄積手段に蓄積される。
【００１９】
リーダ画像処理部２１１に入力されたスキャン画像信号は、所定の処理を施され、制御装置１１０へと出力される。制御装置１１０へ入力された画像信号は画素単位で電気的に処理され、マゼンタ（Ｍ），シアン（Ｃ），イエロ（Ｙ），ブラック（Ｋ）の各成分に分解され、透明トナー信号（ＣＬ）と共にプリンタ部２０２に送られる。送出されたＭ、Ｃ、Ｙ、Ｋ、ＣＬの画像信号がレーザードライバー２１２に送られる。レーザードライバー２１２は、送られてきた画像信号に応じ、半導体レーザー２１３を変調駆動する。レーザー光は、ポリゴンミラー２１４、ｆ−θレンズ２１５、ミラー２１６を介し、感光ドラム２１７上を走査する。ここで、読取と同様に主走査および副走査ともに６００ｄｐｉ（ｄｏｔｓ／ｉｎｃｈ）の解像度で書込まれる。
【００２０】
２１８は回転現像器であり、マゼンタ現像部２１９、シアン現像部２２０、イエロ現像部２２１、ブラック現像部２２２、クリア（透明）現像部２２３より構成される。また、５つの現像部が交互に感光ドラム２１７に接し、感光ドラム上に形成された静電現像を各色のトナー（色材）で現像する。
【００２１】
２２４は転写ドラムであり、用紙カセット２２５または２２６より供給される用紙をこの転写ドラム２２４に巻き付け、感光ドラム上に現像された像を用紙に転写する。
【００２２】
このようにして、Ｍ，Ｃ，Ｙ，Ｋおよび透明の５色の色材が順次転写された後に、用紙に画像形成可能であり、画像形成処理により画像が形成された用紙は、定着ユニット２２７を通過して、トナー定着された後に排紙される。
【００２３】
図１０は、図２に示したリーダ画像処理部２１１の詳細な構成を示すブロック図である。
【００２４】
このリーダ画像処理部２１１では、プラテンガラス２０３上の原稿はＣＣＤ２１０に読み取られて電気信号に変換される。なお、このＣＣＤ２１０はカラーセンサの場合、ＲＧＢのカラーフィルタが１ラインＣＣＤ上にＲＧＢ順にインラインに乗ったものでも構わない。あるいは、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない。
【００２５】
そして、ＣＣＤ２１０から出力される電気信号（アナログ画像信号）はリーダ画像処理部２１１に入力される。その後、クランプ＆Ａｍｐ．＆Ｓ／Ｈ＆Ａ／Ｄ部１３０１でサンプルホールド（Ｓ／Ｈ）される。そして、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。
【００２６】
そして、クランプ＆Ａｍｐ．＆Ｓ／Ｈ＆Ａ／Ｄ部１３０１から出力されるＲＧＢ信号は、シェーディング部１３０２で、シェーディング補正及び黒補正が施された後、制御装置１１０へと出力される。
【００２７】
図１１は、図１に示した制御装置１１０の構成を示すブロック図である。
【００２８】
図において、１１１はメインコントローラで、主にＣＰＵ１１２と、バスコントローラ１１３、各種Ｉ／Ｆコントローラ回路とから構成される。
【００２９】
ＣＰＵ１１２とバスコントローラ１１３は、制御装置１１０全体の動作を制御するものであり、ＣＰＵ１１２はＲＯＭ１１４からＲＯＭＩ／Ｆ１１５を経由して読込んだプログラムに基いて動作する。
【００３０】
また、情報装置から受信したＰＤＬ（ページ記述言語）コードデータを解釈し、画像データ及び属性データに展開する動作も、このプログラムに記述されており、ソフトウェアによって処理される。バスコントローラ１１３は、各Ｉ／Ｆから入出力されるデータ転送を制御するものであり、バスにおける調停処理やＤＭＡデータ転送の制御を行う。
【００３１】
１１６はＤＲＡＭで、ＤＲＡＭＩ／Ｆ１１７によってメインコントローラ１１１と接続されており、ＣＰＵ１１２が動作するためのワークエリアや、画像データ及び属性データを蓄積するためのエリアとして使用される。
【００３２】
１１８はＣｏｄｅｃで、ＤＲＡＭ１１６に蓄積された画像データ及び属性データをＭＨ／ＭＲ／ＭＭＲ／ＪＢＩＧ／ＪＰＥＧ等の方式で圧縮し、また逆に圧縮され蓄積されたコードデータを画像データ及び属性データに伸長する。１１９はＳＲＡＭで、Ｃｏｄｅｃ１１８の一時的なワーク領域として使用される。Ｃｏｄｅｃ１１８は、Ｉ／Ｆ１２０を介してメインコントローラ１１１と接続され、ＤＲＡＭ１１６との間のデータの転送は、バスコントローラ１１３によって制御されＤＭＡ転送される。
【００３３】
１３５はグラフィックプロセッサ（ＧｒａｐｈｉｃＰｒｏｃｅｓｓｏｒ）で、ＤＲＡＭ１１６に蓄積された画像データに対して、画像回転、画像変倍、色空間変換、二値化の処理をそれぞれ行う。１３６はＳＲＡＭで、ＧｒａｐｈｉｃＰｒｏｃｅｓｓｏｒ１３５の一時的なワーク領域として使用される。ＧｒａｐｈｉｃＰｒｏｃｅｓｓｏｒ１３５は、Ｉ／Ｆ１３７を介してメインコントローラ１１１と接続され、ＤＲＡＭ１１６との間のデータの転送は、バスコントローラ１１３によって制御されＤＭＡ転送される。
【００３４】
１２１はネットワークコントローラ（ＮｅｔｗｏｒｋＣｏｎｔｒｏｌｌｅｒ）で、Ｉ／Ｆ１２３によってメインコントローラ１１１と接続され、コネクタ１２２によって外部ネットワークと接続される。ネットワークとしては一般的にイーサネット（登録商標）があげられる。
【００３５】
１２５は汎用高速バスで、拡張ボードを接続するための拡張コネクタ１２４とＩ／Ｏ制御部１２６とが接続される。汎用高速バスとしては、一般的にＰＣＩバスがあげられる。
【００３６】
１２６はＩ／Ｏ制御部で、リーダ部２００，プリンタ部３００の各ＣＰＵと制御コマンドを送受信するための調歩同期シリアル通信コントローラ１２７が２チャンネル装備されており、Ｉ／Ｏバス１２８によってスキャナＩ／Ｆ回路１４０,プリンタＩ／Ｆ回路１４５に接続されている。
【００３７】
１３２はパネルＩ／Ｆで、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。操作部１５０は、液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ１３２から送られてきた画像データを表示するものである。液晶表示部には、本画像処理装置の操作における機能表示や画像データ等を表示する。
【００３８】
１３３はリアルタイムクロックモジュールで、機器内で管理する日付と時刻を更新／保存するためのもので、バックアップ電池１３４によってバックアップされている。
【００３９】
１６１はＥ−ＩＤＥインタフェースで、外部記憶装置を接続するためのものである。本実施形態においては、このＩ／Ｆを介してハードディスクドライブ１６０を接続し、ハードディスク１６２へ画像データを記憶させる動作や、ハードディスク１６２から画像データを読み込む動作を行う。
【００４０】
１４２，１４７はそれぞれコネクタで、それぞれリーダ部２００，プリンタ部３００に接続され、同調歩同期シリアルＩ／Ｆ１４３,１４８とビデオＩ／Ｆ１４４、１４９とから構成される。
【００４１】
１４０はスキャナＩ／Ｆで、コネクタ１４２を介してリーダ部２００と接続される。また、スキャナバス１４１によってメインコントローラ１１１と接続されており、リーダ部２００から受け取った画像に対して所定の処理を施す機能を有する。さらに、リーダ部２００から送られたビデオ制御信号をもとに生成した制御信号を、スキャナバス１４１に出力する機能も有する。スキャナバス１４１からＤＲＡＭ１１６へのデータ転送は、バスコントローラ１１３によって制御される。
【００４２】
１４５はプリンタＩ／Ｆで、コネクタ１４７を介してプリンタ部３００と接続される。また、プリンタバス１４６によってメインコントローラ１１１と接続される。そして、メインコントローラ１１１から出力された画像データに所定の処理を施して、プリンタ部３００へ出力する機能を有する。また、プリンタ部３００から送られたビデオ制御信号をもとに生成した制御信号を、プリンタバス１４６に出力する機能も有する。ＤＲＡＭ１１６上に展開された画像データのプリンタ部への転送は、バスコントローラ１１３によって制御され、プリンタバス１４６、ビデオＩ／Ｆ１４９を経由して、プリンタ部３００へＤＭＡ転送される。
【００４３】
図１２は、図１１に示したスキャナＩ／Ｆ１４０の画像処理を担う部分の詳細な構成を示すブロック図であり、図１１と同一のものには同一の符号を付してある。
【００４４】
図に示すように、リーダ部２００から、コネクタ１４２を介して送られる画像信号に対して、つなぎ＆ＭＴＦ補正部１５０１で、ＣＣＤ２１８が３ラインＣＣＤの場合、つなぎ処理はライン間の読取位置が異なる。そのため、読取速度に応じてライン毎の遅延量を調整し、３ラインの読取位置が同じになるように信号タイミングを補正し、ＭＴＦ補正は読取速度によって読取のＭＴＦが変更されるため、その変化を補正する。読取位置タイミングが補正されたデジタル信号は入力マスキング部１５０２によって、ＣＣＤ２１０の分光特性及びランプ２１２及びミラー２１４、２１５、２１６の分光特性を補正する。入力マスキング部１５０２の出力はＡＣＳカウント部（オートカラーセレクトカウント部）１５０３及びメインコントローラ１１１へと送られる。
【００４５】
以下、図１３を参照して、ＡＣＳカウント部１５０３の構成について詳細に説明する。
【００４６】
図１３は、図１２に示したＡＣＳカウント部１５０３の構成を示すブロック図である。
【００４７】
オートカラーセレクト（以下、ＡＣＳ）は、原稿がカラーなのか白黒なのかを判断する。つまり画素ごとの彩度を求めてある閾値以上の画素がどれだけ存在するかに基づいてカラー判定を行うものである。
【００４８】
しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法はさまざまな方法が提供されているが、本実施形態は、特定のＡＣＳ手法に限定されるものではないため、ごく一般的な手法で説明を行う。
【００４９】
上述したように、白黒画像でもミクロ的に見ると色画素が多数存在するわけであるから、その画素が本当に色画素であるかどうかは、注目画素に対して周辺の色画素の情報で判定する必要がある。図１３に示すフィルタ１６０１はそのためのフィルタであり、注目画素に対して周辺画素を参照する為にＦＩＦＯの構造をとる。
【００５０】
１６０２は領域検出回路で、メインコントローラ１１１からセットされた１６０７〜１６１０のレジスタに設定された値と、リーダ部２００から送られたビデオ制御信号１６１２を元に、ＡＣＳをかける領域信号１６０５を作成する回路である。
【００５１】
１６０３は色判定部で、ＡＣＳをかける領域信号１６０５に基づき、注目画素に対してフィルタ１６０１内のメモリ内の周辺画素を参照し、注目画素が色画素か白黒画素かを決定し、色判定信号１６０６を生成する。
【００５２】
１６０４はカウンタで、色判定部１６０３が出力した色判定信号１６０６の個数を数える。
【００５３】
以下、ＡＣＳ動作について説明する。
【００５４】
まず、メインコントローラ１１１は、読み込み範囲に対してＡＣＳをかける領域を決定し、レジスタ１６０７〜１６１０に設定する（本実施形態では、原稿に対して独立で範囲を決める構成をとる）。また、メインコントローラ１１１は、ＡＣＳをかける領域内での色判定信号１６０６の個数を計数するカウンタ１６０４の値を、所定の閾値と比較し、当該原稿がカラーなのか白黒なのかを判断する。
【００５５】
なお、レジスタ１６０７〜１６１０には、主走査方向，副走査方向それぞれについて、色判定部１６０３が判定を開始する位置，判定を終了する位置を、リーダ部２００から送られたビデオ制御信号１６１２に基づいて設定しておく。本実施形態では、実際の原稿の大きさよりもそれぞれ１０ｍｍ程度小さめに設定している。
【００５６】
以下、図１４を参照して、プリンタＩ／Ｆ１４５の画像処理を担う部分についての詳細な説明を行う。
【００５７】
図１４は、図１１に示したプリンタＩ／Ｆ１４５の画像処理を担う部分の詳細な構成を示すブロック図であり、図１１と同一のものには同一の符号を付してある。
【００５８】
図に示すように、メインコントローラ１１１から、プリンタバス１４６を介して画像データ及び属性データが別々の経路で送られる。
【００５９】
画像データは、色変換部１７０２により印字出力のための色空間であるＣ、Ｍ、Ｙ、Ｋに画素単位で変換する。画像データがメインコントローラからＣ、Ｍ、Ｙ、Ｋで送られてくる場合は色変換部１７０２による色変換は行われない。１７０３はγ補正部で、画像データを濃度調整する。１７０４はフィルタ部で、γ補正部１７０３で濃度調整された画像データをスムージング又はエッジ処理する。
【００６０】
これらの処理を経た画像データは、プリンタ部３００へと送られる。
【００６１】
一方、属性データは属性データ入力部１７０５に入力する。属性データ入力部１７０５において属性データ内の透明トナー重畳位置情報に従ってどの位置に透明トナーを重畳するかを解析する。１７０６は透明トナー信号生成部であり、属性データ入力部１７０５の解析結果に基づいて、透明トナーを重畳する位置に対し透明トナー信号を生成する。１７１０はγ補正部で、透明トナー信号の濃度調整を行う。１７１１はフィルタ部で、γ補正部１７１０で濃度調整された透明トナー信号をスムージング又はエッジ処理する。
【００６２】
これらの処理を経た透明トナー信号は、プリンタ部３００へと送られる。
【００６３】
以下、図１５を参照して、ＧｒａｐｈｉｃＰｒｏｃｅｓｓｏｒ１３５についての詳細な説明を行う。
【００６４】
図１５は、図１１に示したＧｒａｐｈｉｃＰｒｏｃｅｓｓｏｒ１３５の詳細な構成を示すブロック図であり、図１１と同一のものには同一の符号を付してある。
【００６５】
図に示すように、ＧｒａｐｈｉｃＰｒｏｃｅｓｓｏｒ１３５は、画像回転、画像変倍、色空間変換、二値化の処理をそれぞれ行うモジュール、画像回転部８０１、画像変倍部８０２、色空間変換部８０２、画像二値化部８０５を有する。また、色空間変換部８０３はＬＵＴ（ルックアップテーブル）８０４を備えている。
【００６６】
なお、ＳＲＡＭ１３６は、ＧｒａｐｈｉｃＰｒｏｃｅｓｓｏｒ１３５の各々のモジュールの一時的なワーク領域として使用される。各々のモジュールが用いるＳＲＡＭ１３６のワーク領域が重複しないよう、あらかじめ各々のモジュールごとにワーク領域が静的に割り当てられているものとする。
【００６７】
また、ＧｒａｐｈｉｃＰｒｏｃｅｓｓｏｒ１３５は、Ｉ／Ｆ１３７を介してメインコントローラ１１１と接続され、ＤＲＡＭ１１６との間のデータの転送は、バスコントローラ１１３によって制御されＤＭＡ転送される。
【００６８】
さらに、バスコントローラ１１３は、ＧｒａｐｈｉｃＰｒｏｃｅｓｓｏｒ１３５の各々のモジュールにモード等を設定する制御及び、各々のモジュールに画像データを転送するためのタイミング制御を行う。
【００６９】
＜システムの全体構成＞
図３は、本発明の実施形態におけるシステムの全体構成を説明する図である。
【００７０】
図３において、画像形成装置３０１は透明トナーによる印刷に対応した画像形成装置である。画像形成装置３０２、３０３は、通常のＣ、Ｍ、Ｙ、Ｋの4色のトナーによるカラー印刷を行う画像形成装置である。これら画像形成装置は、透明トナー印刷に対応した画像形成装置３０１と連携して印刷処理を行う機能を搭載している。
【００７１】
情報処理装置３０４では、これら画像形成装置に対し、印刷される原稿データと設定情報などを印刷ジョブとして送信し、印刷処理を実行させる。
【００７２】
以上の画像形成装置と情報処理装置は、Ｅｔｈｅｒｎｅｔ（登録商標）などのネットワーク３０５を介して接続されている。原稿データや印刷ジョブなどの各種データ、処理指示などは、このネットワークにより転送される。
【００７３】
＜画像形成装置の印字領域＞
図９は、透明トナー印刷における画像印字領域を示す図である。
【００７４】
ここでの透明トナー印刷は、通常の画像形成装置で印刷された印刷物に対し、透明トナー印刷に対応した画像形成装置で印刷面の全面に対し、再度透明トナーによる印刷を行うものである。以下、この透明トナーによる印刷処理を２パス透明トナー印刷と表記し、通常の画像形成装置による印刷を１パス目の印刷、透明トナー印刷対応の画像形成装置での透明トナー印刷を２パス目の印刷と記述する。
【００７５】
図９において、パターン９０１は１パス目の原稿画像印字領域と２パス目の透明トナー印字可能領域が同じ場合を示す。パターン９０２は、２パス目の透明トナー印字可能領域が１パス目の印字領域と比較して小さい場合を示す。パターン９０３は、１パス目の原稿画像印字領域が２パス目の透明トナー印字可能領域と比較して小さい場合を示す。
【００７６】
９０４〜９０９は、印刷を行う用紙サイズを示しており、全て同一サイズである。９１０〜９１２は、１パス目で印字される原稿画像の印字領域を示す図である。９１３〜９１５は、２パス目の透明トナーの印刷可能領域を示す図である。
【００７７】
パターン９０１において、９１０と９１３の領域サイズ・位置は同一である。よって、２パス目の透明トナー印刷において、印字可能領域全体に印刷を行った場合に、９１６のように透明トナーによる印刷範囲が１パス目の原稿画像の印字領域と一致する。
【００７８】
パターン９０２において、９１４の領域サイズは９１１より小さい。よって、２パス目の透明トナー印刷において、印字可能領域全体に印刷を行った場合においても、９１７のように透明トナーによる印刷範囲は１パス目の原稿画像の印字領域の一部しかカバーしない。このため、９１８の部分が、１パス目の印刷により原稿画像が印字されているが、透明トナーによる印刷が行われない部分として存在する。
【００７９】
パターン９０３において、９１５の領域サイズは９１２より大きい。よって、２パス目の透明トナー印刷において、印字可能領域全体に印刷を行った場合、９１９に示す１パス目の印刷において原稿画像が印字された領域より広い領域をカバーする。このため、９２０の部分が、１パス目に印刷による原稿画像が印字されていないが、透明トナーによる印刷が行われる部分として存在する。
【００８０】
＜印刷処理制御の構成＞
図４は、本発明の実施形態における画像形成装置の制御装置のうち、透明トナー印刷の制御に関わる部分の詳細な構成を示す図である。
【００８１】
図４において、画像形成装置４０１は通常のカラー印刷を行う画像形成装置である。画像形成装置４０２は、透明トナー印刷対応の画像形成装置であり、画像形成装置４０１で印刷された印刷物を印刷用紙とし、再度透明トナーによる印刷を印刷面全面に行う。
【００８２】
操作部４０３、４１０は、それぞれ画像形成装置４０１、４０２を操作するためのユーザインタフェースであり、ユーザが印刷設定や処理の実行を行うものである。
【００８３】
機器情報保持部４０４、４１１は、各画像形成装置における対応印刷用紙サイズ、対応印刷用紙種別を保持している。また、各印刷用紙サイズにおける印字可能領域、フィニッシャーなどのアクセサリ構成、各種機能対応の有無など、画像形成装置の機能・能力に関する情報を保持している。
【００８４】
機器情報取得部４０５は、他の画像形成装置とネットワークを介して通信を行い、他の画像形成装置の機器情報を取得する。
【００８５】
機器情報送信部４１２は、他の画像形成装置に対しネットワークを介して通信を行い、機器情報を送信する。
【００８６】
ジョブ実行機器選択部４０６は、操作部により入力された情報から、２パス透明トナー印刷における、２パス目の透明トナー印刷を行う画像形成装置を選択・決定する。
【００８７】
ジョブ設定生成部４０７は、１パス目の印刷処理の設定情報を作成する。例えば、操作部４０３から入力された情報に基づいて設定情報を作成する。また、機器情報保持部４０４から得られる自らの機器情報、機器情報取得部４０５から取得した、ジョブ実行機器選択部４０６で選択した２パス目の印刷を行う画像形成装置の機器情報にも基づいて、設定情報を作成する。
【００８８】
ジョブ制御部４０９は、ジョブ設定生成部４０７で作成された印刷ジョブ設定情報に従い、画像形成装置を制御し、印刷処理を実行する。ジョブ情報送信部４０８は、印刷ジョブ情報を２パス目の印刷を行う画像形成装置へ送信する。
【００８９】
ジョブ情報取得部４１３は、１パス目の印刷を行う画像形成装置から、１パス目の印刷ジョブ情報を受信する。
【００９０】
ジョブ設定生成部４１４は、画像形成装置４０２で行う、２パス目の透明トナー印刷処理の設定情報を生成する。例えば、操作部４１０から入力された情報に加え、機器情報保持部４１２から得られる自らの機器情報、ジョブ情報取得部４１３から取得した１パス目の印刷ジョブ情報に基づいて設定情報を生成する。
【００９１】
ジョブ制御部４１５は、ジョブ設定生成部４１４で作成された印刷ジョブ設定情報に従い、画像形成装置を制御し、透明トナー印刷処理を実行する。
【００９２】
＜２パス透明トナー印刷の動作＞
図５、図６は、２パス透明トナー印刷における、画像形成装置の制御装置の動作を示すフローチャートであり、図５は１パス目の印刷、図６は２パス目の印刷における動作を示す。図５のフローチャートに示す各ステップは、１パス目の印刷を行う画像形成装置のＣＰＵが、当該画像形成装置のＲＯＭに格納されたプログラムを実行することによって行われる。また、図６のフローチャートに示す各ステップは、２パス目の印刷を行う画像形成装置のＣＰＵが、当該画像形成装置のＲＯＭに格納されたプログラムを実行することによって行われる。
【００９３】
図５に示す、２パス透明トナー印刷における1パス目の印刷処理は、Ｓ５０１で操作部から２パス透明トナー印刷モードが選択されることから開始される。Ｓ５０２では、操作部からの入力により、２パス目の透明トナー印刷を行う画像形成装置を選択する。Ｓ５０３では、Ｓ５０２で選択された画像形成装置の機器情報を取得する。Ｓ５０４では、操作部からの入力と自機器情報、Ｓ５０３で取得した２パス目の画像形成装置の機器情報から、１パス目の印刷の設定を行う。Ｓ５０５では、Ｓ５０４で操作部から入力された設定内容が、ステープル処理や製本処理などの２パス透明トナー印刷の１パス目の印刷において実行するべきではない処理の場合、設定が不可能であることを操作部に通知し（Ｓ５０６）、再度設定処理を行う。設定に問題がない場合、Ｓ５０７で設定内容に従った印刷面に対する印刷画像の配置設定を行い、問題がないかチェックを行う。その結果、１パス目で印刷される画像の領域が、２パス目の透明トナー印刷を行う画像形成装置における印字可能領域内で収まる場合（Ｓ５０８）、図９のパターン９０１もしくはパターン９０３に該当する。この場合、１パス目の印刷処理としては印字領域が整合しているため（Ｓ５０９）、Ｓ５１４で印刷を実行する。印刷処理後、Ｓ５１５において、１パス目の印刷処理の設定情報や１パス目での印字領域などのジョブ情報を２パス目の印刷を行う画像形成装置へ送信する。
【００９４】
Ｓ５０８において、１パス目の印刷画像の領域が２パス目の透明トナー印刷を行う画像形成装置の印字可能領域より大きい場合、図９のパターン９０２の場合に該当する。この場合、１パス目と２パス目で印字領域が不整合であるため（Ｓ５１０）、Ｓ５１１で１パス目の印刷画像を調整する処理を選択し、選択された画像調整処理を実行する。縮小処理を選択した場合、Ｓ５１２で１パス目の印刷画像全体が２パス目の印字可能領域に一致するよう、１パス目の印刷画像を縮小する処理を行う。Ｓ５１１でトリミング処理を選択した場合、Ｓ５１３で１パス目の印刷画像から２パス目の印字可能領域に一致する部分のみを選択・抽出し、１パス目の印刷画像とする。Ｓ５１２もしくはＳ５１３により、２パス目の印字領域と整合した印刷画像を用いて、Ｓ５１４で印刷を実行する。印刷処理後、Ｓ５１５において、１パス目の印刷処理の設定情報や１パス目での印字領域などのジョブ情報を２パス目の印刷を行う画像形成装置へ送信する。
【００９５】
図６に示す、２パス透明トナー印刷における２パス目の印刷処理は、Ｓ６０１で操作部から２パス透明トナー印刷モードの２パス目透明トナー印刷処理が選択されることから開始される。Ｓ６０２では、１パス目の印刷処理を実行した画像形成装置から、１パス目の印刷における印刷設定や１パス目での印字領域などのジョブ情報を取得する。Ｓ６０３では、操作部からの入力と自機器情報、Ｓ６０２で取得した１パス目の印刷における設定やジョブ情報から、２パス目の透明トナー全面印刷の設定を行う。Ｓ６０４では、Ｓ６０３で操作部から入力された設定内容が、２パス透明トナー印刷２パス目の全面透明トナー印刷において実行するべきではない処理の場合、設定が不可能であることを操作部に通知し（Ｓ６０５）、再度設定処理を行う。設定に問題がない場合、Ｓ６０６で設定内容に従った印刷面に対する印刷画像の配置設定を行い、問題がないかチェックを行う。その結果、１パス目で印刷された印字領域が２パス目の透明トナー全面印刷の印字可能領域より小さくない場合（Ｓ６０７）、１パス目での印刷領域の調整処理とから、図９のパターン１に示すようになる。この場合、１パス目で印刷された印字領域と２パス目の印字可能領域は等しい（Ｓ６０８）。このため、２パス目の透明トナー全面印刷では、２パス目を印刷する画像形成装置の印字可能領域全体に対し、透明トナー印刷を行うよう設定する（Ｓ６０９）。以上の印刷設定に従い、Ｓ６１４で２パス目の透明トナー印刷を行い、１パス目で印刷された画像前面に対し、透明トナー印刷を行う。
【００９６】
Ｓ６０７において、１パス目で印刷された印字領域が２パス目の透明トナー全面印刷の印字可能領域より小さい場合、図９のパターン９０３に該当し、１パス目で印刷された印字領域と２パス目の印字可能領域は一致しない（Ｓ６１０）。このため、透明トナー印刷を行う領域として、１パス目で印刷された印字領域に合わせて印刷を行うか、２パス目で印字可能な最大領域全面で印刷を行うかを選択し、設定する（Ｓ６１１）。全面での印刷を選択した場合、Ｓ６１２では、２パス目の印刷を行う画像形成装置の最大印字可能領域の全面に対し、透明トナー印刷を行うよう設定する。１パス目の印刷領域に適応した透明トナー印刷を選択した場合、Ｓ６１３では、１パス目で印刷された印字領域を２パス目の透明トナー印刷の印字領域とするよう設定する。Ｓ６１２もしくはＳ６１３により設定された、印字領域を含む印刷設定を用いて、Ｓ６１４で全面透明トナー印刷を行う。
【実施例２】
【００９７】
実施例２では、情報処理装置から画像形成装置へ印刷画像データや印刷設定情報を送り、２パス透明トナー印刷を行う際の実施形態について説明する。
【００９８】
画像形成装置の全体構成、システムの全体構成、画像形成装置の印字領域については実施例１と同様であるため省略する。
【００９９】
＜印刷処理制御の構成＞
図７は、本発明の実施形態における、画像形成装置の制御装置と情報処理装置のうち、透明トナー印刷の制御に関わる部分の詳細な構成を示す図である。
【０１００】
図７において、画像形成装置７０２は通常のカラー印刷を行う画像形成装置である。画像形成装置７０３は、透明トナー印刷対応の画像形成装置であり、画像形成装置７０２で印刷された印刷物を印刷用紙とし、再度透明トナーによる印刷を印刷面全面に行う。
【０１０１】
情報処理装置７０１は、画像形成装置における印刷の各種設定を行い、印刷される原稿データとともに画像形成装置７０２、７０３へ印刷ジョブデータとして送信し、画像形成装置による印刷を実行させる。
【０１０２】
情報処理装置７０１の操作部７０４は、ディスプレイやキーボード、マウスなどから構成され、ユーザの情報処理装置に対する入力を受け付ける。ジョブ実行機器選択部７０５は、操作部により入力された情報から、２パス透明トナー印刷における、１パス目の原稿画像の印刷、２パス目の透明トナー印刷を行う画像形成装置を、それぞれ選択・決定する。機器情報取得部７０６は、画像形成装置とネットワークを介して通信を行い、画像形成装置の機器情報を取得する。
【０１０３】
ジョブ設定生成部７０７は、画像形成装置７０３で行う２パス目の印刷処理の設定情報をそれぞれ作成する。例えば、操作部７０４から入力された情報と、機器情報取得部７０６から取得した、ジョブ実行機器選択部７０５で選択した、１パス目の印刷、２パス目の印刷を行う画像形成装置それぞれの機器情報に基づいて設定情報を生成する。
【０１０４】
ジョブデータ生成部７０８は、ジョブ設定生成部７０７で生成された設定情報と原稿データを組み合わせ、画像形成装置７０２、７０３に対するジョブデータをそれぞれ生成する。
【０１０５】
データ送信部７０９は、ジョブデータ生成部７０８で生成されたジョブデータを、画像形成装置７０２、７０３に対しネットワークを介して送信する。
【０１０６】
機器情報保持部７１１、７１６は、画像形成装置７０２、７０３における対応印刷用紙サイズ、対応印刷用紙種別、各印刷用紙サイズにおける印字可能領域を保持している。また、フィニッシャーなどのアクセサリ構成、各種機能対応の有無など、画像形成装置の機能・能力に関する情報をそれぞれ保持している。
【０１０７】
機器情報送信部７１０、７１５は、情報処理装置７０１に対してネットワークを介して通信を行い、機器情報保持部７１１、７１６が保持している自らの機器情報を送信する。
【０１０８】
データ受信部７１２、７１７は、情報処理装置７０１より送信されるジョブデータを受信する。
【０１０９】
ジョブ設定抽出部７１３、７１８は、データ受信部７１２、７１７で受信したジョブデータから、印刷設定などのジョブ設定情報を取り出し、ジョブ制御部へ情報を渡す。
【０１１０】
ジョブ制御部７１４、７１９は、与えられたジョブ設定情報に従い、１パス目の原稿画像印刷処理、２パス目の透明トナー印刷処理をそれぞれ実行する。
【０１１１】
＜２パス透明トナー印刷の動作＞
図８は、情報処理装置からジョブデータを送信する場合の、２パス透明トナー印刷における情報処理装置でのジョブデータの設定・生成・送信動作を示すフローチャートである。
【０１１２】
２パス透明トナー印刷におけるジョブ生成処理は、Ｓ８０１、Ｓ８０２でネットワークに接続された画像形成装置から、それぞれの機器情報を取得するところから開始される。Ｓ８０３で、操作部からの入力により、ユーザの選択した印刷モードが設定される。Ｓ８０４において、印刷モードが２パス透明トナー印刷モードでない場合、既存の印刷処理であるため、Ｓ８０５で通常の印刷設定が実行され、Ｓ８０６で通常の画像形成装置に対する印刷ジョブ生成処理が実行される。作成された印刷ジョブは、Ｓ８２８で画像形成装置に対し送信され、印刷ジョブの作成・送信処理が終了する。
【０１１３】
Ｓ８０４において、印刷モードに２パス透明トナー印刷モードが選択された場合、Ｓ８０７では操作部からの入力により、１パス目で通常の原稿画像のカラー印刷を行う画像形成装置を、Ｓ８０８では、２パス目の透明トナー印刷を行う画像形成装置を選択する。
【０１１４】
Ｓ８０９では、まず１パス目の原稿画像をカラー印刷する場合の印刷設定を行う。操作部からの入力とＳ８０１で取得した１パス目の画像形成装置の機器情報から、印刷の設定を行う。Ｓ８１０では、Ｓ８０９で操作部から入力された設定内容が、ステープル処理や製本処理などの２パス透明トナー印刷の１パス目の印刷において実行するべきではない処理の場合、設定が不可能であることを操作部に通知し（Ｓ８１１）、再度設定処理を行う。
【０１１５】
続いて、Ｓ８１２で２パス目の透明トナー全面印刷の印刷設定を行う。操作部からの入力とＳ８０２で取得した２パス目の画像形成装置の機器情報から、印刷の設定を行う。Ｓ８１３では、Ｓ８１２で操作部から入力された設定内容が、２パス透明トナー印刷２パス目の全面透明トナー印刷において実行するべきではない処理の場合、設定が不可能であることを操作部に通知し（Ｓ８１４）、再度設定処理を行う。
【０１１６】
１パス目、２パス目の印刷設定とも設定に問題がない場合、Ｓ８１５で設定内容に従った印刷面に対する印刷画像の配置設定を行い、問題がないかチェックを行う。
【０１１７】
Ｓ８１６において、１パス目の印刷画像の領域が２パス目の透明トナー印刷を行う画像形成装置の印字可能領域より大きい場合、図９のパターン９０２に該当し、１パス目と２パス目で印字領域が一致しない。そのため、Ｓ８１７で１パス目の印刷画像を調整する処理を選択し、選択された画像調整処理を印刷設定に設定する。縮小処理を選択した場合、Ｓ８１８で１パス目の印刷画像全体が２パス目の印字可能領域に一致するよう、１パス目の印刷画像を縮小する設定を行う。Ｓ８１７でトリミング処理を選択した場合、Ｓ８１９で１パス目の印刷画像から２パス目の印字可能領域に一致する部分のみを選択・抽出する設定を行う。Ｓ８１８もしくはＳ８１９により画像調整処理の設定を行った結果、１パス目の画像印字領域は２パス目の印字可能領域と一致するため（Ｓ８２０）、Ｓ８２１で２パス目の印刷は、印字可能領域全面に対する透明トナー印刷として印刷設定を行う。以上の印刷設定から、Ｓ８２７で１パス目、２パス目の印刷ジョブをそれぞれ生成し、Ｓ８２８で１パス目、２パス目の印刷を行う画像形成装置それぞれに、印刷ジョブデータを送信する。
【０１１８】
Ｓ８１６において、１パス目の印刷画像の領域が２パス目の透明トナー印刷を行う画像形成装置の印字可能領域以下である場合、さらにＳ８２２で、１パス目の印刷画像の領域が２パス目の透明トナー印刷の印字可能領域より小さいか判定を行う。Ｓ８２２で１パス目の原稿画像の印字領域が２パス目の印字可能領域より小さくない場合、図９のパターン９０１に該当し、１パス目の原稿画像の印字領域と２パス目の透明トナー印刷の印字可能領域は等しい（Ｓ８２０）。このため、１パス目での原稿画像に対する調整処理は設定せず、２パス目では印字可能領域全面に対する透明トナー印刷を設定する。以上の印刷設定から、Ｓ８２７で１パス目、２パス目の印刷ジョブをそれぞれ生成し、Ｓ８２８で１ス目、２パス目の印刷を行う画像形成装置それぞれに、印刷ジョブデータを送信する。
【０１１９】
Ｓ８１６で、１パス目の印刷画像の領域が２パス目の透明トナー印刷を行う画像形成装置の印字可能領域以下で、１パス目の印刷画像の領域が２パス目の透明トナー印刷の印字可能領域より小さい場合、図９の９０３に該当する。この場合、１パス目の原稿画像の印字領域は２パス目の透明トナー印刷の印字可能領域より小さく、１パス目の印字領域と２パス目の印字可能領域は一致しない。このため、透明トナー印刷を行う領域として、１パス目の原稿画像の印字領域に合わせて印刷を行うか、２パス目で印字可能な最大領域全面で印刷を行うかを選択する（Ｓ８２４）。全面での印刷を選択した場合、Ｓ８２５では、２パス目の印刷を行う画像形成装置の最大印字可能領域の全面に対し、透明トナー印刷を行うよう設定する。１パス目の印刷領域に適応した透明トナー印刷を選択した場合、Ｓ８２６では、１パス目の原稿画像の印字領域と同じ領域を２パス目の透明トナー印刷の印字領域とするよう設定する。以下、ジョブの生成処理と印刷ジョブデータの送信処理は他の場合と同様であり、ジョブデータの送信により、印刷ジョブの生成・送信処理は終了する。
【０１２０】
以上のように本発明の実施形態の画像形成装置では、画像データを入力する手段と、画像形成装置の機器情報を保持する手段と、第二の画像形成装置を選択する手段と、第二の画像形成装置の機器情報を取得する手段とを有する。また、画像形成装置による画像形成処理を設定するジョブ設定手段と、画像形成装置による画像形成処理を制御するジョブ制御手段と、画像形成処理の設定や実行の結果を第二の画像形成装置に送信するジョブ情報送信手段を有する。そして、第二の画像処理装置の機器情報により、画像形成装置におけるジョブ制御を行うことを特徴とする。
【０１２１】
本発明の実施形態の画像形成装置では、画像形成装置の機器情報を保持する手段と、第一の画像形成装置に機器情報を送信する手段と、第一の画像形成装置の画像形成処理のジョブ情報を取得するジョブ情報取得手段を有する。また、画像形成装置による画像形成処理を設定するジョブ設定手段と、画像形成装置による画像形成処理を制御するジョブ制御手段を有する。そして、第一の画像処理装置のジョブ情報により、画像形成装置におけるジョブ制御を行うことを特徴とする。
【０１２２】
また、本発明の実施の形態の情報処理装置では、第一の画像形成装置を選択する手段と、第二の画像形成装置を選択する手段と、第一の画像形成装置の機器情報を取得する手段とを有する。また、第二の画像形成装置の機器情報を取得する手段と、第一の画像形成装置による画像形成処理を設定するジョブ設定手段と、第二の画像形成装置による画像形成処理を設定するジョブ設定手段とを有する。そして第一の画像形成装置に入力する画像データと画像形成処理の設定を生成するジョブデータ生成手段と、第二の画像形成装置に入力する画像データと画像形成処理の設定を生成するジョブデータ生成手段とを有する。また、第一の画像形成装置にジョブデータを送信するデータ送信手段と、第二の画像形成装置にジョブデータを送信するデータ送信手段を有する。そして、第一および第二の画像形成装置の機器情報により、画像形成装置に入力するジョブ設定を変更することを特徴とする。
【図面の簡単な説明】
【０１２３】
【図１】本発明の一実施形態に係る画像形成装置の構成を示すブロック図。
【図２】本発明を適用する装置全体の断面図。
【図３】本発明のシステム全体の構成を示すブロック図。
【図４】画像形成装置の制御装置の詳細な構成を示すブロック図。
【図５】図４に示した制御装置の動作を示すフローチャート。
【図６】図４に示した制御装置の動作を示すフローチャート。
【図７】情報処理装置と画像形成装置の制御装置の詳細な構成を示すブロック図。
【図８】図７に示した情報処理装置の動作を示すフローチャート。
【図９】１パス目の２パス目の印字領域の差を説明するための図。
【図１０】図２に示したリーダ画像処理部の詳細な構成を示すブロック図。
【図１１】図１に示した制御装置の構成を示すブロック図である。
【図１２】図１１に示したスキャナＩ／Ｆの構成を示すブロック図。
【図１３】図１２に示したＡＣＳカウント部の構成を示すブロック図。
【図１４】図１１に示したプリンタＩ／Ｆの構成を示すブロック図。
【図１５】図１１に示したＧｒａｐｈｉｃＰｒｏｃｅｓｓｏｒの構成を示すブロック図。
【図１】
2010008683.tif 000003
【図２】
2010008683.tif 000004
【図３】
2010008683.tif 000005
【図４】
2010008683.tif 000006
【図５】
2010008683.tif 000007
【図６】
2010008683.tif 000008
【図７】
2010008683.tif 000009
【図８】
2010008683.tif 000010
【図９】
2010008683.tif 000011
【図１０】
2010008683.tif 000012
【図１１】
2010008683.tif 000013
【図１２】
2010008683.tif 000014
【図１３】
2010008683.tif 000015
【図１４】
2010008683.tif 000016
【図１５】
2010008683.tif 000017